(57)【要約】【課題】  出力端子を備える電子機器において、機器内部の容積を小さくすることなく、机等に載置する場合と収納ラックに固定させる場合の変更作業を容易に行なうことができ、机等に載置する場合及び収納ラックに固定させる場合に他の装置と近接させて配設することができる電子機器を提供する【解決手段】  筐体と、操作部と、表示部と、操作部及び表示部を固定し筐体の底面に平行な面に対して前方から後方に亘って上昇するよう傾斜する上面パネルと、コネクタケーブルを着脱可能に接続し信号を出力する出力端子と、筐体の底面に連結する後面に配設され前記出力端子を固定する端子面とを備え、筐体は、上面パネルに連結する前面及び後面がそれぞれ前記上面パネルに対して垂直であると共に前記端子面が当該筐体の底面に対して垂直である。【選択図】      図１
2007035090.tif 000002
【特許請求の範囲】
【請求項１】
信号を処理する電子回路を内部に備える筐体と、
前記電子回路に信号の処理を指示する指示信号を出力する操作部と、
前記電子回路による信号の処理内容を示す情報を表示する表示部と、
前記操作部及び前記表示部を固定し前記筐体の底面に平行な面に対して前方から後方に亘って上昇するよう傾斜する上面パネルと、
コネクタケーブルを着脱可能に接続し前記電子回路によって処理された信号を出力する出力端子と、
前記筐体の底面に連結する後面に配設され前記出力端子を固定する端子面とを備え、
前記筐体は、前記上面パネルに連結する前面及び後面がそれぞれ前記上面パネルに対して垂直であると共に前記端子面が当該筐体の底面に対して垂直であることを特徴とする電子機器。
【請求項２】
請求項１記載の電子機器において、
前記上面パネルは、左右部分がそれぞれ前記筐体の側面から突出すると共に当該左右部分に上下に貫通する孔を備えることを特徴とする電子機器。
【請求項３】
請求項１または請求項２記載の電子機器において、
前記上面パネルは、前記筐体の底面に対して前方から後方に亘って１２度から１８度の範囲で上昇するよう傾斜し、
前記筐体は、底面から前記上面パネルの前端までの高さが１００ｍｍから１２０ｍｍの範囲であり、前記上面パネルの後端から前記上面パネルに連結する後面の下端までの長さが１００mmから１２０ｍｍの範囲であることを特徴とする電子機器。
【発明の詳細な説明】
【技術分野】
【０００１】
本発明は、着脱可能なコネクタケーブルを接続する出力端子を備える電子機器に関する。
【背景技術】
【０００２】
従来の電子機器として、光ディスク再生装置を例に挙げ説明する。
ダンスクラブ等では、光ディスク再生装置をミキシング装置に接続し、光ディスク再生装置から出力されたオーディオ信号をミキシング装置によってミキシングすることにより、オーディオ信号を編集するディスクジョッキー（Disc Jockey（以下、ＤＪという。））がいる。これらのＤＪは、光ディスク再生装置やミキシング装置を机等に載置した状態で使用する場合や収納ラックに収納した状態で使用する場合がある。このため、ＤＪが使用する光ディスク再生装置は、机等に載置することができるように底面にフット（支持部）を備えると共に、上面パネルの左右部分を締結ネジ等によって収納ラック等に固定できるよう当該上面パネルの左右部分に固定用の孔を備えたラック固定用のネジ止め部分を備えていることが多い。
【０００３】
図４は、従来の光ディスク再生装置の一例を示す図で、図４（ａ）は上面図、図４（ｂ）は側面図、図４（ｃ）は前面図である。
光ディスク再生装置１００は、上面パネル３、ディスク装着部４、操作部５、表示部６及び筐体部２００を備える。筐体部２００は、箱型であり、内部に図示しない再生部及び制御部を備える。上面パネル３は、薄い平板であり、上面にディスク装着部４、操作部５及び表示部６を固定する。筐体部２００は、底面にフット７を備え、後面に出力端子８を備える。上面パネル３の左右部分は、それぞれ筐体部２００の側面から突出し、当該左右部分にはそれぞれ上下に貫通する孔３０１を備える。
【０００４】
ディスク装着部４は、図示しないターンテーブル及びクランパによって光ディスクを着脱可能に保持する。操作部５は、操作によりディスク装着部４に装着された光ディスクの再生を指示する指示信号を制御部へ出力する。制御部は、操作部５から出力された指示信号に応じて光ディスクに記録されたオーディオ信号を再生するよう再生部を制御する。再生部は、制御部の制御に応じてターンテーブル及びクランパに保持された光ディスクを回転させ、ディスクに記録されているオーディオ信号を読み取り、読み取ったオーディオ信号を出力端子８に出力する。出力端子８は、図示しないコネクタケーブルを着脱可能に保持する。表示部６は、再生部により読み取ったオーディオ信号の記録時間や操作部５から出力された指示信号の指示内容を表示する。
以上により、光ディスク再生装置１００は、ディスク装着部４に装着された光ディスクを再生し、再生したオーディオ信号を出力端子８に接続したコネクタケーブルを介してミキシング装置等の他の装置へ出力する。
【０００５】
ＤＪが光ディスク再生装置を使用する場合は、殆どの場合、ミキシング装置も同時に使用する。このため、光ディスク再生装置１００とミキシング装置を机等に載置した場合や、収納ラックに収納した場合に、これらの装置の配置をＤＪの希望する配置にできるようする必要があることから、ＤＪが使用する光ディスク再生装置及びミキシング装置の左右方向の幅、前後方向の幅、及び上下方向の高さはおおよそ統一されていることが多い。ＤＪが使用する光ディスク再生装置及び後述するミキシング装置の多くは、図４に示すように、それぞれ幅が略４８２ｍｍであり、奥行きが略１７６mmであり、高さが略１１０mmである。
【０００６】
図５は、光ディスク再生装置とミキシング装置を机等に載置した状態を示す側面図である。図５において、光ディスク再生装置１００は、前面がミキシング装置１０の後面に対向するよう配設されているものとする。
ミキシング装置１０は、筐体部１１、上面パネル１２、操作部１３、フット１４及び複数の入出力端子１５を備える。ミキシング装置１０の幅、奥行き及び高さは光ディスク再生装置１００と略同一である。光ディスク再生装置１００の出力端子８とミキシング装置１０の入出力端子１５は、コネクタケーブル９が接続されることによって電気的に接続されている。
【０００７】
ミキシング装置１０は、光ディスク再生装置１００の出力端子８から出力されたオーディオ信号をコネクタケーブル９を介して入出力端子１５に入力し、操作部１３の操作に応じて、光ディスク再生装置１００から入力されたオーディオ信号をミキシング処理する。
【０００８】
以上の構成により、光ディスク再生装置１００とミキシング装置１０を机等に載置した状態で、光ディスク再生装置１００の操作部５及びミキシング装置１０の操作部１３を操作することにより、光ディスクに記録されたオーディオ信号をミキシング処理し、処理したオーディオ信号を出力することができる。
【０００９】
光ディスク再生装置１００及びミキシング装置１０は、それぞれ出力端子８及び入出力端子１５にコネクタケーブル９を接続することから、図５に示すように、光ディスク再生装置１００の前面をミキシング装置１０の後面に対向するように配設して机等に載置した場合、ミキシング装置１０の後面からコネクタケーブル９のコネクタ部分までの距離が距離Ｅである場合、ミキシング装置１０の後面と光ディスク再生装置１００の前面は、距離Ｅよりも大きな距離Ｆ（例えば、５０ｍｍ）以上の空間が必要となってしまう。このため、ＤＪが光ディスク再生装置１００の操作部５とミキシング装置１０の操作部１３を同時に操作しようとする場合、光ディスク再生装置１００とミキシング装置１０の間隔を距離Ｆ以上としなければならないので、ぞれぞれの操作部の操作を同時に行うことが困難となる。
【００１０】
様々なパーティー会場や特設のダンスクラブでオーディオ信号の再生及びミキシング操作を行うＤＪは、操作に使用する装置を容易に搬送できるようにする必要があることから、光ディスクを再生する光ディスク再生装置、オーディオ信号のミキシング操作を行うミキシング装置、ミキシング装置によりミキシングしたオーディオ信号を増幅するオーディオ信号増幅装置及びオーディオ信号増幅装置が増幅したオーディオ信号を楽音として放音するスピーカユニットを１つの収納ラックに収納していることが多い。
【００１１】
図６は、光ディスク再生装置１００とミキシング装置１０を、オーディオ信号増幅装置及びスピーカユニットと共に収納ラックに収納した状態を示す断面図である。図６においては、左方向を収納ラックの前方とする。
収納ラック５００は、ラック前面５０１、ラック上面５０２及びラック後面５０３に図示しない孔を備え、それぞれの孔の左右部分には図示しない雌ネジを備える。また、収納ラック５００は、ラック上面５０２が前方から後方に亘って上昇するよう傾斜している。光ディスク再生装置１００は、収納ラック５００のラック上面５０２に備える孔に挿入された後、図示しない雄ネジが図４（ａ）に示す孔３０１を介してラック上面５０２の左右に備える雌ネジに締結されることにより、収納ラック５００に固定される。収納ラック５００には、光ディスク再生装置１００が収納ラック５００に固定されるのと同様の構成により、ラック前面５０１にオーディオ信号増幅装置５１が固定され、ラック上面５０２にミキシング装置１０が固定され、ラック後面５０３にスピーカユニット５２が固定される。
【００１２】
図６に示すように、光ディスク再生装置１００は、ラック上面５０２の前方に配設され、ミキシング装置１０は、光ディスク再生装置１００の後方に配設されている。光ディスク再生装置１００とミキシング装置１０は、前述したのと同様にコネクタケーブル９によって電気的に接続されている。また、ミキシング装置１０は、図示しないコネクタケーブルによってオーディオ信号増幅装置５１と接続され、スピーカユニット５２は、図示しないコネクタケーブルによってオーディオ信号増幅装置５１と接続されている。
【００１３】
図６に示すように、ラック上面５０２が前方から後方に亘って上昇した傾斜を成しているのは、ＤＪが使用する収納ラックがラック上面５０２に固定した光ディスク再生装置１００及びミキシング装置１０を容易に操作できるようにするためである。オーディオ信号増幅装置５１は、コネクタケーブルを介してミキシング装置１０によってミキシングされたオーディオ信号を入力し、オーディオ信号に変換する。オーディオ信号増幅装置５１は、前面に備えるボリュウム５１０の回転角度に応じてオーディオ信号の増幅度を変化させ、増幅度を変化させたオーディオ信号をコネクタケーブルを介してスピーカユニット５２へ出力する。スピーカユニット５２は、オーディオ信号増幅装置５１から入力したオーディオ信号を楽音として放音する。
【００１４】
以上の構成により、光ディスク再生装置１００、ミキシング装置１０、オーディオ信号増幅装置５１及びスピーカユニット５２を収納した収納ラック５００を
例えば、パーティー会場や特設のダンスクラブに搬送することによって、ＤＪは、光ディスクに記録されたオーディオ信号を再生及びミキシング処理し、処理したオーディオ信号を聴取者に聞かせることができる。ラック前面５０１及びラック上面５０２に光ディスク再生装置１００、ミキシング装置１０及びオーディオ信号増幅装置５１が固定され、ラック後面５０３にスピーカユニット５２が固定されているのは、例えば、収納ラック５００の後面を聴取者に向け、収納ラック５００の前方にＤＪが位置した状態で、光ディスク再生装置１００、ミキシング装置１０及びオーディオ信号増幅装置５１の操作をＤＪが行うことにより、スピーカユニット５２から放音された楽音を聴取者に向けて放音するからである。
【００１５】
図６に示すように、光ディスク再生装置１００とミキシング装置１０を収納ラック５００のラック上面５０２に固定した場合も、光ディスク再生装置１００の後面からコネクタケーブル９のコネクタ部分までの距離が距離Ｅである場合、光ディスク再生装置１００とミキシング装置１０の間隔を距離Ｅよりも大きな距離Ｆ以上としなければならない。このため、光ディスク再生装置１００の後面とミキシング装置１０の前面を近接して配置した場合と比較して、ラック上面５０２前端から後端までの長さＧを長くする必要があり、収納ラック５００が大型化して収納ラック５００の移動作業が困難となってしまう。
【００１６】
前述した課題を解決するために、筐体の後面に凹んだ外装面を備え、当該外装面に出力端子を固定する構成とすることにより、出力端子と接続したコネクタケーブルが筐体の後面から突出することを防止するもの（例えば、特許文献１参照）がある。
また、出力端子を固定する固定面を筐体から着脱可能とし、出力端子を配置する面を筐体の後面または筐体の底面に変更させることができるもの（例えば、非特許文献１参照）がある。
【００１７】
特許文献１に開示されている凹部を光ディスク再生装置の前面に備える構成とすることによって、図５に示すように、ミキシング装置の後面と光ディスク再生装置の前面とが対向するように光ディスク再生装置及びミキシング装置を机等に載置した場合、ミキシング装置１０の後面と光ディスク再生装置１００の前面を近接して配設することができる。また、特許文献１に開示されている構成を光ディスク再生装置に用いることにより、光ディスク再生装置１００の後面とミキシング装置１０の前面を近接して配設することができるので、図６に示すように、収納ラック５００のラック上面５０２に光ディスク再生装置１００とミキシング装置１０を固定した場合でも、収納ラック５００の前後方向の長さを小さくすることができる。
【００１８】
非特許文献１に開示されている構成を光ディスク再生装置に用いることにより、光ディスク再生装置を机等に載置する場合は、出力端子８の固定面を筐体の後面に固定することによって、光ディスク再生装置を机等に載置可能とし、また、光ディスク再生装置を収納ラックに固定する場合は、出力端子８の固定面を筐体の底面に固定することによって、光ディスク再生装置とミキシング装置とを近接させて配設することができる。
【００１９】
【特許文献１】特開２０００−３４９４６０号公報
【非特許文献１】“ニュースリリース”、[online]、[平成１５年６月２２日検索]、インターネット〈URL : http://proaudio.yamaha.co.jp/products/mixer/mv1000/index.html〉
【発明の開示】
【発明が解決しようとする課題】
【００２０】
特許文献１に開示されている構成のように、筐体の後面に凹んだ外装面を備え、当該外装面に出力端子を固定する構成とした装置の場合は、コネクタケーブルの着脱作業の際、凹んだ部分にコネクタケーブルを保持する指が入り難いため、コネクタケーブルの着脱作業が困難になる。また、筐体に凹部を備える構成とすると、筐体内部の容積が凹んだ容積だけ減少してしまうため、筐体内部に備える再生部や制御部等の電子回路を小型化したり、小さい容積の筐体内に複数の電子回路を組み込むための精密な作業が必要となり、製造コストが増大してしまう。また、筐体に凹部を備える構成とすると、筐体内部の容積が減少するため、筐体内部に備える複数の電子回路の間隔が狭くなる。このため、それぞれの電子回路から生じた熱を筐体外部に放熱しようとする場合、電子回路同士の間隔が狭いため、放熱効率が悪化してしまい、筐体内部の電子回路が破損してしまう虞がある。
【００２１】
非特許文献１に開示されている構成のように、出力端子を固定する固定面を筐体から着脱可能とし、出力端子を配置する面を筐体の後面または筐体の底面に変更させることができる構成とした装置の場合も、出力端子を固定する固定面を筐体とは別に備える必要があり、製造コストが増加してしまう。また、光ディスク再生装置を机等に載置した状態から収納ラックに収納したり、収納ラックに収納した状態から机等に載置させる毎に、出力端子を固定する固定面を筐体の後面から底面、または筐体の底面から後面へと変更させる作業が必要となり、出力端子を固定する固定面を変更させる作業が煩わしい。更に、出力端子を固定する固定面を変更させるために筐体から固定面を取り外した際に、筐体内部に備える電子回路に手が接触し、電子回路に通電している電気によって感電する虞がある。更に、出力端子を固定する固定面を筐体から着脱可能とすることによって、筐体と固定面との間に隙間が生じてしまうため、筐体内部の電子回路から放射されるノイズがこの隙間から不要輻射として筐体外部に放出されてしまう虞がある。
【００２２】
更に、非特許文献１に開示されている出力端子を固定する固定面を筐体から着脱可能とし出力端子を配置する面を筐体の後面または筐体の底面に変更できる構成を光ディスク再生装置に用い、この光ディスク再生装置１をミキシング装置、オーディオ信号増幅装置及びスピーカユニットと共に収納ラックに収納する場合について説明する。
図７は、非特許文献１に開示された構成を従来の光ディスク再生装置に用いた場合において、出力端子を配置する固定面を筐体の後面または筐体の底面に変更させることができる構成とし、出力端子が筐体の底面となるように固定面を変更した状態で、図６に示した配置と同様に、光ディスク再生装置１とミキシング装置を、オーディオ信号増幅装置及びスピーカユニットと共に収納ラックに収納した状態を示す断面図である。図７においては、左方向を収納ラックの前方とする。
【００２３】
図７に示すように、出力端子が筐体の底面となるように固定面を変更することによって、光ディスク再生装置１００の後面とミキシング装置１０の前面を近接させて配設することができるため、ラック上面５０２の前端から後端までの長さＪは、図６に示した長さＧよりも短くすることができる。しかしながら、光ディスク再生装置１００の底面から下方に出力端子８に接続されたコネクタケーブル９が突出するため、図７に示すように、筐体部２００の底面からコネクタケーブル９のコネクタ部分までの距離が距離Ｈである場合、光ディスク再生装置１００の底面からオーディオ信号増幅装置５１の上面までの距離は、距離Ｈ以上の空間が必要となってしまう。このため、図６に示した場合と比較して、収納ラック６００の上下方向の長さＫを長くする必要があり、収納ラック６００が大型化して収納ラック６００の移動作業が困難となってしまう。
【００２４】
また、図４に示すように、上面パネルの上面に表示部を備えた光ディスク再生装置を机等に載置してＤＪが光ディスク再生装置の操作を行う場合、ＤＪは、光ディスク再生装置の斜め前方から表示部を視ることとなるため、表示部を真上から視た場合と比較して表示部の視認性が悪化してしまう。
【００２５】
本発明は、着脱可能なコネクタケーブルを接続する出力端子を備える電子機器において、電子機器内部の容積を小さくすることなく、机等に載置する場合と収納ラックに固定させる場合の変更作業を容易に行なうことができると共に、机等に載置する場合及び収納ラックに固定させる場合に他の装置と近接させて配設することができる電子機器を提供することを目的とする。
【課題を解決するための手段】
【００２６】
本願の請求項１記載の発明は、電子機器において、信号を処理する電子回路を内部に備える筐体と、前記電子回路に信号の処理を指示する指示信号を出力する操作部と、前記電子回路による信号の処理内容を示す情報を表示する表示部と、前記操作部及び前記表示部を固定し前記筐体の底面に平行な面に対して前方から後方に亘って上昇するよう傾斜する上面パネルと、コネクタケーブルを着脱可能に接続し前記電子回路によって処理された信号を出力する出力端子と、前記筐体の底面に連結する後面に配設され前記出力端子を固定する端子面とを備え、前記筐体は、前記上面パネルに連結する前面及び後面がそれぞれ前記上面パネルに対して垂直であると共に前記端子面が当該筐体の底面に対して垂直であることを特徴とする。
【００２７】
本願の請求項２記載の発明は、請求項１記載の電子機器において、前記上面パネルは、左右部分がそれぞれ前記筐体の側面から突出すると共に当該左右部分に上下に貫通する孔を備えることを特徴とする。
【００２８】
本願の請求項３記載の発明は、請求項１または請求項２記載の電子機器において、前記上面パネルは、前記筐体の底面に対して前方から後方に亘って１２度から１８度の範囲で上昇するよう傾斜し、前記筐体は、底面から前記上面パネルの前端までの高さが１００ｍｍから１２０ｍｍの範囲であり、前記上面パネルの後端から前記上面パネルに連結する後面の下端までの長さが１００mmから１２０ｍｍの範囲であることを特徴とする。
【発明の効果】
【００２９】
本発明によれば、着脱可能なコネクタケーブルを接続する出力端子を備える電子機器において、電子機器内部の容積を小さくすることなく、机等に載置する場合と収納ラックに固定させる場合の変更作業を容易に行なうことができると共に、机等に載置する場合及び収納ラックに固定させる場合に他の装置と近接させて配設することができる電子機器を提供することができる。
【発明を実施するための最良の形態】
【００３０】
本発明の実施の形態を図面を参照して説明する。なお、従来技術で示した構成要素と同一の部分については同符号を用いる。
【００３１】
本発明の電子機器として、光ディスク再生装置を例に挙げ説明する。
図１は、本発明の一実施例である光ディスク再生装置を示す図で、図１（ａ）は上面図、図１（ｂ）は側面図である。図１（ｂ）においては、左方向を光ディスク再生装置の前方とする。
【００３２】
光ディスク再生装置１は、筐体部２、上面パネル３、ディスク装着部４、操作部５及び表示部６を備える。上面パネル３は、薄い平板であり、上面にディスク装着部４、操作部５及び表示部６を固定する。上面パネル３の左右部分は、それぞれ筐体部２００の側面から突出し、当該左右部分にはそれぞれ上下に貫通する孔３０１を備える。
【００３３】
上面パネル３は、筐体部２の底面に平行な面に対して前方から後方に亘って１５度上昇するように傾斜している。上面パネル３の傾斜角度を筐体部２の底面に対して１５度とした理由については後述する。
【００３４】
筐体部２は、上面パネル３に連結する前面部２０１及び後面部２０２が上面パネル３に対して垂直である。筐体部２は、底面にフット７を備え、後面に出力端子８を固定する端子面２０３を備える。端子面２０３は、筐体部２の底面に対して垂直である。筐体部２は、内部に図示しない再生部及び制御部を備える。
【００３５】
光ディスク再生装置１は、図１（ａ）に示すように、上面パネル３の幅を４８２ｍｍとし、図１（ｂ）に示すように、上面パネル３の奥行きの長さを１７６mmとする。また、図１（ｂ）に示すように、光ディスク再生装置１は、筐体部２の底面から上面パネル３の前端までの高さを１１０mmとし、上面パネル３の後端から後面部２０２の下端、つまり、端子面２０３の上端までの長さを１１０mmとする。このとき、光ディスク再生装置１の端子面２０３の上端から下端までの長さは約４９．５mmとなる。筐体部２の底面から上面パネル３の前端までの高さを１１０ｍｍとした理由及び上面パネル３の後端から端子面２０３の下端までの長さを１１０ｍｍとした理由については後述する。
【００３６】
ディスク装着部４は、図示しないターンテーブル及びクランパによって光ディスクを着脱可能に保持する。操作部５は、操作によりディスク装着部４に装着されたディスクの再生を指示する指示信号を制御部へ出力する。制御部は、操作部５から出力された指示信号に応じて光ディスクに記録されたオーディオ信号を再生するよう再生部を制御する。再生部は、制御部の制御に応じてクランパ及びターンテーブルに保持された光ディスクを回転させ、ディスクに記録されているオーディオ信号を読み取り、読み取ったオーディオ信号を出力端子８に出力する。出力端子８は、図示しないコネクタケーブルと着脱可能に接続する。表示部６は、再生部により読み取ったオーディオ信号の記録時間や操作部５から出力された指示信号の指示内容を表示する。
【００３７】
以上により、光ディスク再生装置１は、ディスク装着部４に装着された光ディスクを再生し、再生したオーディオ信号を出力端子８に接続したコネクタケーブルを介してミキシング装置等の他の装置へ出力する。
【００３８】
図２は、光ディスク再生装置１とミキシング装置を机等に載置した状態を示す側面図である。図２において、光ディスク再生装置１は、前面がミキシング装置の後面に対向するよう配設されているものとする。
ミキシング装置１０は、筐体部１１、上面パネル１２、操作部１３、フット１４及び複数の入出力端子１５を備える。ミキシング装置１０は、高さが１１０mmであり、また、幅は光ディスク再生装置１と略同一であるとする。光ディスク再生装置１の出力端子８とミキシング装置１０の入出力端子１５は、コネクタケーブル９が接続されることによって電気的に接続されている。
【００３９】
ミキシング装置１０は、光ディスク再生装置１の出力端子８から出力されたオーディオ信号をコネクタケーブル９を介して入出力端子１５に入力し、操作部１３の操作に応じて、光ディスク再生装置１から入力されたオーディオ信号をミキシング処理する。
【００４０】
光ディスク再生装置１及びミキシング装置１０は、それぞれ出力端子８及び入出力端子１５にコネクタケーブル９を接続する。図２に示すように、光ディスク再生装置１の前面をミキシング装置１０の後面に対向するように配設して机等に載置した場合、ミキシング装置１０の後面からコネクタケーブル９のコネクタ部分までの距離が距離Ａである場合、ミキシング装置１０の後面からコネクタケーブル９の後端に近接する光ディスク再生装置１の前面部分までの空間は、距離Ａよりも大きな空間が必要となるが、光ディスク再生装置１の前面部２０１が傾斜していることにより、ミキシング装置１０の上面パネル１２の後端から上面パネル３の前端までの距離は、図２に示す距離Ａよりも短い距離Ｂとなる。
【００４１】
このことにより、本実施例の光ディスク再生装置１は、光ディスク再生装置１の前面をミキシング装置１０の後面に対向するように配設して机等に載置した場合、ミキシング装置１０の上面パネル１２の後端から光ディスク再生装置１の上面パネル３の前端までの距離は、図５に示すように、従来の光ディスク再生装置の前面をミキシング装置の後面に対向するように配設して机等に載置した場合における、ミキシング装置の上面パネルの後端から従来の光ディスク再生装置の上面パネルの前端までの距離Ｆより短い距離で載置することが可能となる。
【００４２】
したがって、図２に示すように、光ディスク再生装置１とミキシング装置１０を机等に載置した状態で光ディスク再生装置１の操作部５とミキシング装置１０の操作部１３を同時に操作しようとした場合、光ディスク再生装置１とミキシング装置１０を近接して配置できるため、従来の光ディスク再生装置と比較して容易に操作をすることができる。また、光ディスク再生装置１を机等に載置した場合、上面パネル３が机の上面に対して傾斜した状態となるので、光ディスク再生装置１の前方でＤＪが操作部５を操作する場合、操作部５の操作を容易に行うことができる。更に、上面パネル３が机の上面に対して傾斜した状態となることによって表示部６がＤＪ側に斜めに傾くので、ＤＪが光ディスク再生装置１の前方で表示部６を視た場合の視認性を、従来の光ディスク再生装置よりも良好にすることができる。
【００４３】
図３は、光ディスク再生装置１をミキシング装置１０、オーディオ信号増幅装置及びスピーカユニットと共に収納ラックに収納した状態を示す断面図である。図３においては、左方向を収納ラックの前方とする。
収納ラック５０は、ラック前面５０１及びラック上面５０２に図示しない孔を備え、それぞれの孔の左右部分には図示しない雌ネジを備える。また、収納ラック５０は、ラック上面５０２が前方から後方に亘って上昇するよう傾斜している。
【００４４】
光ディスク再生装置１は、収納ラック５０のラック上面５０２に備える孔に挿入された後、図示しない雄ネジが図１（ａ）に示す孔３０１を介してラック上面５０２の左右に備える雌ネジに締結されることにより、収納ラック５０に固定される。収納ラック５０には、光ディスク再生装置１０が収納ラック５０に固定されるのと同様の構成により、ラック前面５０１にオーディオ信号増幅装置５１が固定され、ラック上面５０２にミキシング装置１０が固定され、ラック後面５０３にスピーカユニット５２が固定される。
【００４５】
図３に示すように、光ディスク再生装置１は、ラック上面５０２の前方に配設され、ミキシング装置１０は、光ディスク再生装置１の後方に配設されている。光ディスク再生装置１とミキシング装置１０は、前述したのと同様にコネクタケーブル９によって電気的に接続されている。また、ミキシング装置１０は、図示しないコネクタケーブルによってオーディオ信号増幅装置５１と接続され、スピーカユニット５２は、図示しないコネクタケーブルによってオーディオ信号増幅装置５１と接続されている。
【００４６】
オーディオ信号増幅装置５１は、コネクタケーブルを介してミキシング装置１０によってミキシングされたオーディオ信号を入力し、オーディオ信号に変換する。オーディオ信号増幅装置５１は、前面に備えるボリュウム５１０の回転角度に応じてオーディオ信号の増幅度を変化させ、増幅度を変化させたオーディオ信号をコネクタケーブルを介してスピーカユニット５２へ出力する。スピーカユニット５２は、オーディオ信号増幅装置５１から入力したオーディオ信号を楽音として放音する。
【００４７】
光ディスク再生装置１及びミキシング装置１０は、それぞれ出力端子８及び入出力端子１５にコネクタケーブル９を接続することから、図３に示すように、光ディスク再生装置１をラック上面５０２の前方に配設し、ミキシング装置１０を光ディスク再生装置１の後方に配設した場合、図１（ｂ）に示すように、後面部２０２の上端から下端までの長さがミキシング装置１０の上面パネル１２から底面までの高さと同じ１１０ｍｍであると共に、出力端子８を備える端子面２０３が後面部２０２に対して傾斜していることから、図３に示すように、出力端子８及び出力端子８に接続されたコネクタケーブル９の位置がミキシング装置１０の底面よりも下方の位置となる。
【００４８】
このことにより、本実施例の光ディスク再生装置１は、光ディスク再生装置１をラック上面５０２の前方に配設し、ミキシング装置１０を光ディスク再生装置１の後方に配設した場合、光ディスク再生装置１の後面とミキシング装置１０の前面を近接させて配設することができるため、ラック上面５０２の前端から後端までの長さＣは、図６に示すように、従来の光ディスク再生装置とミキシング装置をラック上面５０２に固定した場合のラック上面５０２の前端から後端までの長さＧより小さくすることができる。
【００４９】
また、本実施例の光ディスク再生装置１は、光ディスク再生装置１をラック上面５０２の前方に配設し、ミキシング装置１０を光ディスク再生装置１の後方に配設した場合、光ディスク再生装置１の底面から出力端子８及びコネクタケーブル９が下方に突出しないので、光ディスク再生装置１をラック上面５０２に固定した場合の収納ラック５０の上下方向の長さＤを、図７に示すように、従来の光ディスク再生装置をラック上面５０２に固定した場合の収納ラック６００の上下方向の長さＫよりも、短い長さとすることができる。
【００５０】
このため、図３に示すように、光ディスク再生装置１をミキシング装置１０、オーディオ信号増幅装置５１及びスピーカユニット５２と共に収納ラック５０に収納した場合、従来の光ディスク再生装置をミキシング装置１０、オーディオ信号増幅装置５１及びスピーカユニット５２と共に収納ラック５０に収納した場合と比較して収納ラック５０の小型化することができる。このことにより、本実施例の光ディスク再生装置１をミキシング装置１０、オーディオ信号増幅装置５１及びスピーカユニット５２と共に収納した収納ラック５０を移動させようとする場合、従来の光ディスク再生装置を収納した収納ラックよりも容易に移動させることができる。また、図３に示すように、光ディスク再生装置１をラック上面５０２の前方に配設し、ミキシング装置１０を光ディスク再生装置１の後方に配設した場合、出力端子８を固定する端子面２０３が光ディスク再生装置１の後方から完全に露出するため、出力端子８へのコネクタケーブル９の接続または取り外しの作業を容易に行うことができる。
【００５１】
次に、光ディスク再生装置１の上面パネル３の傾斜角度を図１（ｂ）に示すように、筐体部２の底面に平行な面に対して１５度とした理由について説明する。
一般に操作者がキーボードを操作する場合、人間工学の観点からみて、キーボードが水平面に対して前方から後方に亘って１５度程度傾斜した状態が操作者の疲労が一番少ないと言われている（参考書籍：１９９６年３月出版「応用人間工学」（出版社：放送大学教育振興会、編集者：池田良夫））。このため、ＤＪが光ディスク再生装置１の操作部５を操作する場合、上面パネル３が筐体部２の底面に平行な面に対して前方から後方に亘って１５度傾斜していることにより、長時間に亘って光ディスク再生装置１の操作を行う場合でも、操作によるＤＪの疲労を低減させることができる。
以上の理由により、本実施例の光ディスク再生装置１においては、上面パネル３の傾斜角度を図１（ｂ）に示すように、筐体部２の底面に平行な面に対して前方から後方に亘って１５度傾斜する構成とした。なお、上面パネル３の傾斜角度は、底面に平行な面に対して前方から後方に亘って１５度であると限定する必要はなく、当該１５度に近似した角度、例えば、上面パネル３の傾斜角度が筐体部２の底面に対して前方から後方に亘って１２度から１８度の範囲内であれば、本実施例の効果と同様の効果を得ることができる。
以上、光ディスク再生装置１の上面パネル３の傾斜角度を筐体部２の底面に対して１５度とした理由について説明した。
【００５２】
次に、光ディスク再生装置１の筐体部２の底面から上面パネル３の前端までの高さを１１０ｍｍとし、上面パネル３の後端から端子面２０３の下端までの長さを１１０ｍｍとした理由について説明する。
ＤＪが使用する光ディスク再生装置及びミキシング装置を机等に載置した状態で使用する場合、光ディスク再生装置の上面の操作面とミキシング装置の上面の操作面の高さが大きく異なっていると、光ディスク再生装置とミキシング装置を同時に操作することが困難となる。このため、現在、発売されているＤＪ用の光ディスク再生装置及びミキシング装置の底面から上面までの高さは、おおよそ統一されており、その高さは、多くが１００ｍｍから１１０ｍｍまでの範囲内の高さである。
このため、図２に示すように、光ディスク再生装置１とミキシング装置１０を机等に載置した場合に、光ディスク再生装置１の底面から上面パネル３の前端までの高さを、多くのＤＪ用のミキシング装置の底面から上面までの高さの最大値である１１０ｍｍにすれば、光ディスク再生装置１の前端がミキシング装置の上面の高さと同じかまたは僅かに高くなるので、ＤＪは、光ディスク再生装置とミキシング装置を容易に操作することができる。
また、図３に示すように、光ディスク再生装置１をラック上面５０２の前方に配設し、ミキシング装置１０を光ディスク再生装置１の後方に配設した場合光ディスク再生装置１の上面パネル３の後端から端子面２０３の下端までの長さを多くのミキシング装置の底面から上面までの高さの最大値である１１０ｍｍ以上とすれば、出力端子８を固定する端子面２０３が光ディスク再生装置１の後方から完全に露出し、出力端子８へのコネクタケーブル９の接続または取り外しを容易にすることができる。
以上の理由により、光ディスク再生装置１の筐体部２の底面から上面パネル３の前端までの高さを１１０ｍｍとし、上面パネル３の後端から端子面２０３の下端までの長さを１１０ｍｍとした。なお、光ディスク再生装置１の筐体部２の底面から上面パネル３の前端までの高さを１１０ｍｍに限定し、また、上面パネル３の後端から端子面２０３の下端までの長さを１１０ｍｍに限定する必要はなく、これらの値に近似した値、例えば、光ディスク再生装置１の筐体部２の底面から上面パネル３の前端までの高さを１００ｍｍから１２０ｍｍまでの範囲とし、また、上面パネル３の後端から端子面２０３の下端までの長さを１００ｍｍから１２０ｍｍまでの範囲とすることによっても、本実施例の効果と同様の効果を得ることができる。
以上、光ディスク再生装置１の筐体部２の底面から上面パネル３の前端までの高さを１１０ｍｍとし、上面パネル３の後端から端子面２０３の下端までの長さを１１０ｍｍとした理由について説明した。
【００５３】
以上のように、本実施例の光ディスク再生装置１は、光ディスク再生装置１の筐体部２を図１（ｂ）に示すような形状とすることによって、筐体内部の容積を小さくすることなく、他の装置を近接して机等に載置することができる。また、光ディスク再生装置１を机等に載置した状態から収納ラックに収納する場合や、収納ラックに収納した状態から机等に載置する場合、出力端子を固定する固定面を筐体部の後面から底面、または筐体部の底面から後面に変更する作業をすること必要がなく、かつ、光ディスク再生装置１を収納ラックに収納した場合、収納ラックを小型化することができる。
【００５４】
本実施例では、光ディスク再生装置１の上面パネル３及び筐体部２を図１（ａ）及び図１（ｂ）に示すような構成としたが、他の装置、例えば、ミキシング装置の筐体部の形状を図１（ａ）及び図１（ｂ）に示すような形状としても良い。
【図面の簡単な説明】
【００５５】
【図１】本発明の一実施例である光ディスク再生装置を示す図で、図１（ａ）は上面図、図１（ｂ）は側面図。
【図２】光ディスク再生装置１とミキシング装置を机等に載置した状態を示す側面図。
【図３】光ディスク再生装置１をミキシング装置１０、オーディオ信号増幅装置及びスピーカユニットと共に収納ラックに収納した状態を示す断面図。
【図４】従来の光ディスク再生装置の一例を示す図で、図４（ａ）は上面図、図４（ｂ）は側面図、図４（ｃ）は前面図。
【図５】光ディスク再生装置とミキシング装置を机等に載置した状態を示す側面図。
【図６】光ディスク再生装置１００とミキシング装置１０を、オーディオ信号増幅装置及びスピーカユニットと共に収納ラックに収納した状態を示す断面図。
【図７】光ディスク再生装置において、出力端子を配置する面を筐体の後面または筐体の底面に変更させることができる構成とし、出力端子を筐体の底面に変更した状態で、図６に示した配置と同様に、光ディスク再生装置１とミキシング装置を、オーディオ信号増幅装置及びスピーカユニットと共に収納ラックに収納した状態を示す断面図。
【符号の説明】
【００５６】
１  光ディスク再生装置、２  筐体部、
２０１  前面部、２０２  後面部、２０３  端子面、
３  上面パネル、３０１  孔、４  ディスク装着部、５  操作部、
６  表示部、７  フット、８  出力端子、９  コネクタケーブル、
１０  ミキシング装置、１１  筐体部、１２  上面パネル、
１３  操作部、１４  フット、１５  入出力端子、
５０  収納ラック、
５０１  ラック前面、５０２  ラック上面、５０３  ラック後面、
５１  オーディオ信号増幅装置、５１０  ボリュウム、
５２  スピーカユニット、
１００  光ディスク再生装置、２００  筐体部、
５００  収納ラック、６００  収納ラック
【図１】
2007035090.tif 000003
【図２】
2007035090.tif 000004
【図３】
2007035090.tif 000005
【図４】
2007035090.tif 000006
【図５】
2007035090.tif 000007
【図６】
2007035090.tif 000008
【図７】
2007035090.tif 000009